(57)【特許請求の範囲】
【請求項１】
商品毎の値段と売上実績データとを参照する管理装置と該管理装置に有線または無線で接続された複数の表示装置とからなり、該表示装置をそれぞれ陳列商品に対応して配設するとともに、前記管理装置からの送信データに基づいて前記商品の値段を表示する電子棚札システムにおいて、
前記管理装置は各商品の売上実績データを該当する表示装置に送信する送信手段を備え、
前記表示装置は前記送信手段から受信した前記売上実績データを記憶する記憶手段と、店員がリモコンを対向させて指示することにより、値段を表示している商品についての前記記憶手段が記憶している売上実績データを表示する売上データ表示手段とを備える、
ことを特徴とする電子棚札システム。
【発明の詳細な説明】
【０００１】
【発明の属する技術分野】
この発明は、複数の表示装置を無線あるいは有線で管理装置に接続するとともに、それぞれ商品陳列棚に配設して商品の値段を表示する、いわゆる電子棚札システムに関する。
【０００２】
【従来の技術】
最近、複数の表示装置（電子棚札）をそれぞれ商品陳列棚に設置するとともに、管理装置（電子棚札コントローラ）に無線等で接続し、商品の売価の変更をリアルタイムで行うことを可能とした、いわゆる電子棚札システムが日本でも実用化されつつある。
【０００３】
【発明が解決しようとする課題】
一方、売り場における商品の設置場所、陳列棚における配置位置、配置状態（フェース、例えば１列に配置するのか、２列に配置するのか等）は、商品の売上に大きく影響するが、従来は商品の配置状態等と売上実績との関係を把握するのが面倒であった。
【０００４】
この発明は、上述の事情に鑑みてなされたもので、商品の配置状態等を目視しながら、その商品の売上実績を簡単に確認できるようにした電子棚札システムを提供することを目的としている。
【０００５】
【課題を解決するための手段】
請求項１に記載の発明は、商品毎の値段と売上実績データとを参照する管理装置と該管理装置に有線または無線で接続された複数の表示装置とからなり、該表示装置をそれぞれ陳列商品に対応して配設するとともに、前記管理装置からの送信データに基づいて前記商品の値段を表示する電子棚札システムにおいて、前記管理装置は各商品の売上実績データを該当する表示装置に送信する送信手段を備え、前記表示装置は前記送信手段から受信した前記売上実績データを記憶する記憶手段と、店員がリモコンを対向させて指示することにより、値段を表示している商品についての前記記憶手段が記憶している売上実績データを表示する売上データ表示手段とを備えることを特徴とする電子棚札システムを提供する。
【００１０】
【発明の実施の形態】
以下、この発明の一実施形態について図を参照しながら説明する。図１はこの発明の一実施形態による電子棚札システムの構成を示すブロック図である。
この図において、符号１は電子棚札システムであり、ローカルエリアネットワークＬＡＮを介してＰＯＳシステム１０と接続されている。
【００１１】
ＰＯＳシステム１０は、ストアコントローラ（ＳＣ）１１と、このストアコントローラにオンラインで接続した複数の電子キャッシュレジスタ（ＥＣＲ）１２とから構成されている。
ストアコントローラ１１のメモリには商品コード毎に商品名、通常値段、特売値段、会員値段等が記憶された商品ファイル（ＰＬＵファイル）と売上実績データ等を記憶する実績ファイル（集計ファイル）が設けられている。
【００１２】
電子キャッシュレジスタ１２は、店のチェックアウト場に配置され、ストアコントローラ１１は店のバックルームに配置されている。電子キャッシュレジスタ１２のスキャナーで客の購入商品のバーコードを読み取ると、読み取ったコードデータ（商品コード）はストアコントローラ１１に送信される。
ストアコントローラ１１はコードデータの商品データをＰＬＵファイルから読み出し、コードデータを送信した電子キャッシュレジスタ１２へ送信するとともに、実績ファイルを更新する。商品データを受信した電子キャッシュレジスタ１２は、商品データを表示するとともに、そのデータに基づいてチェックアウト処理を行う。
【００１３】
このようにして、ストアコントローラ１１の実績ファイルには商品コード毎に売上実績データが記憶される。売上データは、当日、前日の売り上げ、当週、前週の売り上げ、当月、前月の売り上げ等に集計され、また必要に応じて過去の売り上げデータを記憶している。また集計する期間を適宜設定することも可能である。
ストアコントローラ１１に接続されている前記商品ファイル、集計ファイルは電子棚札システム１をはじめとして、ＬＡＮに接続されている他の装置で必要に応じて適宜参照できるようになっている。
【００１４】
電子棚札システム１は、電子棚札コントローラ（ＴＣ）２と電子棚札コントローラ２に無線（赤外線通信）で接続された複数の表示装置（電子棚札、ＥＰＬ）５とから構成されている。
電子棚札５は、図４に示すように各商品４１に対応付けされ、各商品４１が陳列されている商品陳列棚４０に配置され、商品４１の値段をリアルタイムで表示する。
電子棚札コントローラ２と電子棚札５とは赤外線を伝送媒体として接続されており、本実施形態では電子棚札コントローラ２から電子棚札５への信号伝送のみの一方向通信である。
【００１５】
電子棚札５は、図３に示すように、ＣＰＵ３１、ＲＯＭ３２、ＲＡＭ３３、赤外線信号の受信部３４、ＬＣＤ表示器３６、およびＬＥＤランプ３７を備え、図２に示すように本体表面右側に配置された太陽電池３８で駆動されるようになっている。
また太陽電池３８のバックアップ用としてリチウム電池等のボタン電池３９が内蔵されている。
ＬＥＤランプ３７は、客または店員の注意を引きたい場合に用いられる。
ＬＣＤ表示器３６は、図２に示すように、上部に大型の５桁数値を表示する表示部ａ２６、左下側の小型の５桁の数値を表示する表示部ｂ２７、および右下側の小型の３桁の数値を表示する表示部ｃ２８から構成される。
【００１６】
なお、表示部ａ２６および表示部ｂ２７の右端には文字「円」の表示が、表示部ｃ２８の右端には文字「割引」の表示が表示可能に構成されている。
また、通常時には図２に示すように、表示部ａ２６には（現在）の売価が、表示部ｂ２７には（通常の）売価が、表示部ｃ２８には割引情報が表示される。
さらに、電子棚札５の左側のスペースには、商品情報ラベル２０が貼付されている。
商品情報ラベル２０には、品名２１、バーコード２３、棚札ＩＤ２２（詳細は後述）などが印字された表記となっている。
【００１７】
また、ＲＡＭ３３には表示部ａ２６、表示部ｂ２７および表示部ｃ２８に表示するデータとして、６画面を超える複数画面分の表示データを記憶しており、上述した値段データは第１画面のデータである。
なお、本実施形態の場合、６画面分しか使用していない。
【００１８】
また、表示画面の切換は、電子棚札コントローラ２からのコマンド、または図１および図４に示した画面切換用リモコン７で行われる。
すなわち、リモコン７を電子棚札５の赤外線受光部（センサ）６に対向させてリモコン７上のテンキーを押すと、そのテンキーで指示した画面に切り換わる。なお、リモコンとしては、画面切換ボタンのみを設け、ボタン操作すると、１→２→３のように表示画面が切り換わるようにしてもよい。
【００１９】
電子棚札コントローラ２は、電子棚札５を制御するために商品コードと棚札ＩＤとの対応を記憶したテーブルを備えている。
電子棚札システムを立ち上げる場合、以下のような処理を行う。
▲１▼各電子棚札５にそれぞれ別個に棚札ＩＤ２２を記憶する。（棚札ＩＤ２２が電子棚札コントローラ２からデータを送信する場合のアドレス情報となる。）
▲２▼各電子棚札５を商品に対応付けする。（前記テーブルに棚札ＩＤ２２とこれに対応付けする商品コードを記憶する。）
【００２０】
▲３▼商品情報ラベル２０を発行する。
▲４▼商品情報ラベル２０をその商品と対応付けした電子棚札５に貼付する。
▲５▼電子棚札５を商品情報ラベル２０の商品が陳列されている棚に取り付ける。
▲６▼電子棚札コントローラ２から電子棚札５にデータを送信する。
【００２１】
電子棚札コントローラ２から電子棚札５にデータを送信する場合、「棚札ＩＤ＋画面Ｎｏ．＋表示Ｎｏ．（表示部ａ、ｂ、ｃの区別）＋表示データ」を送信部３および赤外線信号放射手段４を介して送信することにより行う。
また電子棚札５のＬＥＤランプを点灯させるか、あるいは消灯させるかの選択は、「棚札ＩＤ＋点灯コマンド」の送信、「棚札ＩＤ＋消灯コマンド」の送信、「棚札ＩＤ＋点滅コマンド」の送信によって行う。
電子棚札５は、赤外線受光センサ６および受信部３４を介して受信したデータが自己の（記憶している）棚札ＩＤだった場合、受信したデータをＲＡＭ３３に記憶し、ＬＣＤ表示器３６で表示し、またはＬＥＤランプ３７を点灯または消灯あるいは点滅する。
【００２２】
各画面の表示データは、図５に示すように、画面１が通常の値段表示、画面２が会員用の値段表示、画面３が深夜用の値段表示、画面４が在庫数の表示、画面５が過去の売上実績表示、画面６が発注関係の登録データ表示となっており、必要に応じて、さらに画面表示を追加することができる。
【００２３】
図６を参照して売上実績データを送信する場合の処理について説明する。
（スタート）…実施形態では、売上データとして表示部ａに前週の売上点数、表示部ｂに前月の売上点数を表示させるので、各データを更新した時（閉店処理）に自動的に行われる。
【００２４】
（ＳＰ１０）…前記棚札ＩＤ−商品コードテーブルから棚札ＩＤと対応する商品コードを読み出す。
（ＳＰ１１）…読み出した商品コードの売上データをＰＬＵファイルから読み出す。
（ＳＰ１２）…読み出した売上データを棚札ＩＤとともに送信する
【００２５】
（ＳＰ１３）…テーブルに記憶されているすべての棚札ＩＤについて処理を終了したか否かを判断し、「Ｎｏ」の場合には次の棚札ＩＤについてＳＰ１０〜ＳＰ１２の処理を繰り返す。
なお、送信された売上データは各電子棚札５のＲＡＭ３３の第５画面データ記憶部（レジスタ）に記憶される。
【００２６】
そして、店員がリモコン７によって必要な時に表示画面を画面５に切り換えることにより、電子棚札５に売り上げ実績データを表示させることができる。
なお、実施形態では売り上げ実績データとして売数（売上数量）のみ表示しているが、売上金額を表示するようにしてもよいし、両方を画面表示するようにしてもよい。
このようにして、店員は商品の配置場所、配置状態、商品の状態を確認しながら必要時にその商品を売り上げ実績データを知ることができる。
したがって売り上げデータを確認した上で商品の配置位置、配置状態の変更や商品の交換を簡単に行うことが可能となる。
【００２７】
次に、図７を参照してノンアクト商品を電子棚札で表示する場合の処理について説明する。
なお、ノンアクト商品は、一定期間、売上実績が「０」の商品、すなわち店にとって売上に全く寄与しない商品であり、早期に発見し、他の商品と交換する必要がある。
（スタート）…ノンアクト商品を電子棚札で表示させる場合（通常は開店前または閉店後または客がいない時）は、電子棚札コントローラ２またはストアコントローラ１１からその旨の操作を行うことによりこの処理がスタートする。
【００２８】
（ＳＰ２０）…ストアコントローラ１１の実績ファイルに基づいてノンアクト商品を抽出する。
（ＳＰ２１）…ノンアクト商品の商品コードを検索キーとして、前記棚札ＩＤと商品コード対応テーブルから棚札ＩＤを読み出す。
（ＳＰ２２）…読み出した棚札ＩＤとＬＥＤ点灯コマンドを送信する。
（ＳＰ２３）…すべてのノンアクト商品についてＳＰ２１，ＳＰ２２の処理が終了したか判断し、Ｎｏの場合はＳＰ２１，ＳＰ２２の処理を繰り返す。
【００２９】
上述の処理により、ノンアクト商品の電子棚札５のＬＥＤランプ３７が点灯する。
これらの処理により、季節商品の改廃の検討、商品の配置位置、配置場所の検討、値引商品の検討等を売場（商品陳列場所）で商品の陳列位置、場所、状態を目視しながら行うことができる。
また、商品を変更する場合には、交換するノンアクト商品の発見を容易に行うことができる。
なお、「ノンアクト商品」を判断する期間あるいはノンアクト商品を表示する部門等は適宜設定が可能になっている。
また、売上が「０」でなくても売り上げが所定の値（個数、金額）以下の商品を表示することも「ノンアクト商品」の範囲として含めるものとする。
【００３０】
つぎに上述の一実施形態の変形例について説明する。
Ａ．上述の一実施形態は、電子棚札コントローラ２→電子棚札５の一方向の通信を行う場合であったが、双方向通信可能に構成し、電子棚札５から要求があった場合に売上実績データを電子棚札コントローラ２から送信して表示するように構成する。
電子棚札５からの要求方法としては、リモコン７により要求（コマンド入力）または電子棚札５に操作部（操作ボタン）を設ける方法のいずれかの方法による。
電子棚札５からの送信データは、自己の「棚札ＩＤ＋実績データ要求コマンド」とし、電子棚札コントローラ２は電子棚札から要求があると棚札ＩＤから商品コードを判断して商品コードから売り上げデータを読み出し、要求のあった電子棚札へ送信する。
【００３１】
Ｂ．上述の一実施形態は、「ノンアクト商品」を表示している場合であるが、各種条件を設定し、その条件を満足する商品を表示することも考えられる。
例えば、条件が売り上げデータに基づくものとして、▲１▼売上実績データベスト１００商品、▲２▼売上実績データワースト１００商品等を表示する。
また、条件が売り上げデータに基づかないものとして、▲１▼今回開始売値変更商品、▲２▼前回終了売値変更商品等を表示して変更した価格が正しいか否かの判断が簡単にできるようにする。
【００３２】
以上、本発明の一実施形態の動作を図面を参照して詳述してきたが、本発明はこの実施形態に限られるものではなく、本発明の要旨を逸脱しない範囲の設計変更等があっても本発明に含まれる。
例えば、以下に説明するものも本発明に含まれる。
【００３３】
▲１▼実施形態の電子棚札システムの構成には限定されない。例えば赤外線による通信ではなく、電波、超音波等による通信でもよい。また、有線による接続でもよい。
▲２▼棚札のアドレスも棚札ＩＤではなく、棚位置をアドレスとしてもよい。
【００３４】
▲３▼実施形態ではＬＥＤを点灯させていたが、点滅させてもよい。
▲４▼また、数値表示部をフラッシュ表示させることによりＬＥＤを用いないことも考えられる。
【００３５】
▲５▼実施形態ではＬＥＤを点灯させるだけであったが、同時に数値表示部に選択条件、例えば「ノンアクト」、「ベスト１００」等の表示または選択条件となった数値（売り上げデータ等）を表示することも考えられる。
▲６▼また、実施形態では店員がリモコンで画面を切り換えて売り上げデータを表示させる場合があったが、電子棚札コントローラからコマンドにより一斉に売り上げデータを表示させることも考えられる。
【００３６】
【発明の効果】
これまでに説明したように、この発明の各請求項によれば以下のような効果を得ることができる。
【００３７】
商品陳列場所で、その商品の配置場所を目視しながらその商品の売上実績データを確認することができるので、商品の配置状態が適当であるか否かの判断を簡単に行うことができる。（請求項１）
【００３８】
また、配置状態が適当でないと判断した場合は、、その場で商品の配置状態を変更することができるので、配置状態の変更を簡単に行うことができる。（請求項１）
【００３９】
電子棚札を利用しているので、表示装置を別途設ける必要がない。また、必要なときに、商品陳列場所で簡単に呼び出して表示できる。（請求項１）
【図面の簡単な説明】
【図１】本発明の一実施形態による、ＬＡＮを介してＰＯＳシステムと接続された電子棚札システムの構成を示すブロック図。
【図２】電子棚札の外観構成を示す図。
【図３】電子棚札の電気回路の構成を示すブロック図。
【図４】電子棚札の使用状態を示す図。
【図５】電子棚札の表示画面毎の表示内容を説明する図。
【図６】売上実績データを送信する場合の処理を示すフロー図。
【図７】ノンアクト商品を電子棚札で表示する場合の処理を示すフロー図。
【符号の説明】
１…電子棚札システム、２…電子棚札コントローラ（管理装置、ＴＣ）、３…送信部、４…赤外線信号放射板、５…電子棚札（表示装置、ＥＰＬ）、６…赤外線信号受光センサ、７…画面切換用リモコン、１０…ＰＯＳシステム、１１…ストアコントローラ（ＳＣ）、１２…ＥＣＲ（電子キャッシュレジスタ）、２０…商品情報ラベル、２２…棚札ＩＤ、２３…バーコード、２６…表示部ａ、２７…表示部ｂ、２８…表示部ｃ、３１…ＣＰＵ、３２…ＲＯＭ、３３…ＲＡＭ、３４…受信部、３６…ＬＣＤ表示器、３７…ＬＥＤランプ、３８…太陽電池、３９…ボタン電池、４０…商品陳列棚、４１…商品、ＬＡＮ…ローカルエリアネットワーク
【図１】
0003603778.tif 000002
【図２】
0003603778.tif 000003
【図３】
0003603778.tif 000004
【図４】
0003603778.tif 000005
【図５】
0003603778.tif 000006
【図６】
0003603778.tif 000007
【図７】
0003603778.tif 000008